(57)【特許請求の範囲】
【請求項１】
ネットワークに接続された第１及び第２のコンテンツ管理装置と、携帯電話機とを含み、前記第１のコンテンツ管理装置から前記第２のコンテンツ管理装置へコンテンツを配信するコンテンツ配信システムであって、
前記携帯電話機は、
前記ネットワーク上で前記第１のコンテンツ管理装置を識別する装置識別情報を記憶するための装置識別情報記憶手段と、
コンテンツの視聴中断を示す中断信号を前記第１のコンテンツ管理装置に送信し、かつ、前記装置識別情報を前記第２のコンテンツ管理装置に送信する送信手段とを備え、
前記第１のコンテンツ管理装置は、
コンテンツを再生する第１の再生手段と、
前記携帯電話機から前記中断信号を受信し、前記第１の再生手段によるコンテンツの再生を中止させる中断信号受信手段と、
前記ネットワークを介し、前記第２のコンテンツ管理装置から、コンテンツの配信要求を受信する配信要求受信手段と、
前記配信要求を受信すると、前記第１の再生手段で再生していたコンテンツのうち、前記中断信号を受信したときに再生していた部分に後続する部分を前記第２のコンテンツ管理装置に送信するコンテンツ送信手段とを備え、
前記第２のコンテンツ管理装置は、
コンテンツを再生する第２の再生手段と、
前記携帯電話機から前記装置識別情報を受信する装置識別情報受信手段と、
前記装置識別情報を受信すると、前記装置識別情報が示す前記第１のコンテンツ管理装置に、コンテンツの配信要求を送信する配信要求送信手段と、
前記配信要求に対する応答としてコンテンツを受信するコンテンツ受信手段とを備え、
前記第２の再生手段は、前記コンテンツ受信手段によりコンテンツが受信された場合に、当該受信されたコンテンツを再生する
ことを特徴とするコンテンツ配信システム。
【請求項２】
前記第１のコンテンツ管理装置は、
前記携帯電話機から前記中断信号を受信すると、前記装置識別情報を前記携帯電話機に送信する装置識別情報送信手段を備える
ことを特徴とする請求項１記載のコンテンツ配信システム。
【請求項３】
前記第１のコンテンツ管理装置は、
コンテンツを記憶するコンテンツ記憶手段を備え、
前記第１の再生手段は、前記コンテンツ記憶手段に記憶されているコンテンツを再生する
ことを特徴とする請求項１記載のコンテンツ配信システム。
【請求項４】
前記第１のコンテンツ管理装置において、
前記中断信号を受信すると、前記装置識別情報送信手段は、前記装置識別情報とともに、前記中断信号を受信したときに再生していた部分に後続する部分を示す時間情報を前記携帯電話機に送信し、
前記コンテンツ送信手段は、前記第１の再生手段で再生していたコンテンツのうち前記時間情報が示す部分を、前記中断信号を受信したときに再生していた部分に後続する部分として前記第２のコンテンツ管理装置に送信し、
前記携帯電話機において、
前記送信手段は、前記装置識別情報とともに前記時間情報を前記第２のコンテンツ管理装置に送信し、
前記第２のコンテンツ管理装置において、
前記配信要求送信手段は、前記時間情報を含むコンテンツの配信要求を前記第１のコンテンツ管理装置に送信する
ことを特徴とする請求項３記載のコンテンツ配信システム。
【請求項５】
前記第１のコンテンツ管理装置において、
前記中断信号を受信すると、前記コンテンツ記憶手段は、コンテンツとともに、前記中断信号を受信したときに再生していた部分に後続する部分を示す時間情報を記憶し、
前記コンテンツ送信手段は、前記第１の再生手段で再生していたコンテンツのうち前記時間情報が示す部分を、前記中断信号を受信したときに再生していた部分に後続する部分として前記第２のコンテンツ管理装置に送信する
ことを特徴とする請求項３記載のコンテンツ配信システム。
【請求項６】
前記第１コンテンツ管理装置において、
前記中断信号を受信すると、前記送信手段は、前記装置識別情報とともに、前記中断信号を受信していたときに再生していたコンテンツを識別するコンテンツ識別情報を前記携帯電話機に送信し、
前記携帯電話機において、
前記装置識別情報送信手段は、前記装置識別情報とともに前記コンテンツ識別情報を前記第２のコンテンツ管理装置に送信し、
前記第２コンテンツ管理装置において、
前記配信要求送信手段は、前記コンテンツ識別情報を含むコンテンツの配信要求を送信する
ことを特徴とする請求項３記載のコンテンツ配信システム。
【請求項７】
前記第１のコンテンツ管理装置はさらに、
放送される放送コンテンツを受信する放送受信手段と、
前記中断信号を受信すると、前記第１の再生手段で再生している放送コンテンツの録画を開始する録画手段とを備え、
前記第１の再生手段は、前記放送受信手段で受信する放送コンテンツを再生し、
前記コンテンツ送信手段は、前記録画手段で録画した放送コンテンツを、前記コンテンツのうち前記中断信号を受信したときに再生していた部分に後続する部分として送信する
ことを特徴とする請求項１記載のコンテンツ配信システム。
【請求項８】
前記第１コンテンツ管理装置において、
前記装置識別情報送信手段は、前記装置識別情報とともに、前記中断信号を受信したときに録画を開始した放送コンテンツを識別する放送コンテンツ識別情報を前記携帯電話機に送信し、
前記携帯電話機において、
前記送信手段は、前記装置識別情報とともに前記放送コンテンツ識別情報を前記第２のコンテンツ管理装置に送信し、
前記第２コンテンツ管理装置において、
前記配信要求送信手段は、前記放送コンテンツ識別情報を含むコンテンツの配信要求を送信する
ことを特徴とする請求項７記載のコンテンツ配信システム。
【請求項９】
コンテンツの再生を行う第１及び第２のコンテンツ管理装置がネットワークを介して接続され、前記第２のコンテンツ管理装置が、前記ネットワーク上における前記第１のコンテンツ管理装置の識別情報である装置識別情報を受信すると、前記第１のコンテンツ管理装置にコンテンツ配信要求を送信し、前記コンテンツ配信要求に対する応答としてコンテンツを受信すると、当該受信したコンテンツを再生し、前記第１のコンテンツ管理装置が、コンテンツの再生を中断した後に当該コンテンツ配信要求を受信すると、前記再生を中断したコンテンツのうち中断直前に再生していた部分に後続する部分を前記第２のコンテンツ管理装置に配信するコンテンツ配信システム上で使用される携帯電話機であって、
前記装置識別情報を記憶する記憶手段と、
前記装置識別情報を前記第２のコンテンツ管理装置に送信する送信手段と
を備えることを特徴とする携帯電話機。
【請求項１０】
さらに、前記第２のコンテンツ管理装置から発せられるビーコン信号を受信する受信手段と、
前記ビーコン信号を受信すると、前記報知手段で所定の報知を行う報知手段と
を備えることを特徴とする請求項９記載の携帯電話機。
【請求項１１】
さらに、前記第２のコンテンツ管理装置から発せられるビーコン信号を受信する受信手段を備え、
前記送信手段は、前記ビーコン信号を受信すると、前記装置識別情報を前記第２のコンテンツ管理装置に送信する
ことを特徴とする請求項９記載の携帯電話機。
【請求項１２】
ネットワークを介して他のコンテンツ管理装置に接続可能であり、かつ当該他のコンテンツ管理装置をネットワーク上で識別する装置識別情報を記憶している携帯電話機と共に用いられるコンテンツ管理装置であって、
コンテンツを再生する再生手段と、
前記携帯電話機からコンテンツの視聴中断を示す中断信号を受信し、前記再生手段によるコンテンツの再生を中止させる中断信号受信手段と、
前記ネットワークを介し、他のコンテンツ管理装置から、コンテンツの配信要求を受信する配信要求受信手段と、
前記配信要求を受信すると、前記再生手段で再生していたコンテンツのうち、前記中断信号を受信したときに再生していた部分に後続する部分を、前記コンテンツ配信要求を送信した他のコンテンツ管理装置に送信するコンテンツ送信手段と、
前記装置識別情報を前記携帯電話機から受信する装置識別情報受信手段と、
前記装置識別情報を受信すると、前記ネットワークを介し、当該装置識別情報が示す他のコンテンツ管理装置に、コンテンツの配信要求を送信する配信要求送信手段と、
前記配信要求に対する応答としてコンテンツを受信するコンテンツ受信手段とを備え、
前記再生手段は、前記コンテンツ受信手段によりコンテンツが受信された場合に、当該受信されたコンテンツを再生する
ことを特徴とするコンテンツ管理装置。
【請求項１３】
前記第１のコンテンツ管理装置は、更に、
前記ネットワークを介さず接続される第１のディスプレイと、
前記第１の再生手段により再生されたコンテンツを前記第１のディスプレイに送出する第１のディスプレイ制御手段とを備え、
前記第２のコンテンツ管理装置は、更に、
前記ネットワークを介さず接続される第２のディスプレイと、
前記第２の再生手段により再生されたコンテンツを前記第２のディスプレイに送出する第２のディスプレイ制御手段とを備える
ことを特徴とする請求項１記載のコンテンツ配信システム。
【請求項１４】
前記第１のディスプレイ制御部は、前記携帯電話機から前記中断信号を受信した後、前記第１のディスプレイへの前記コンテンツの送出を停止する
ことを特徴とする請求項１３記載のコンテンツ配信システム。
【発明の詳細な説明】
【技術分野】
【０００１】
本発明は、ネットワークを介してコンテンツの配信を行うコンテンツ配信技術に関し、特に、コンテンツ配信システム、及びコンテンツ配信システム上で使用される携帯電話機に関する。
【背景技術】
【０００２】
従来、ＨＤＤ（Hard Disk Drive）といった大容量の記憶媒体を搭載し、映像等のコンテンツを記憶することのできる録画装置（レコーダ）がある（例えば、特許文献１を参照）。このようなレコーダは、テレビ放送の受信アンテナと接続することで、放送される放送コンテンツをＨＤＤに録画しておくことができる。
これにより、例えば、ユーザがテレビ放送中の放送コンテンツを視聴しているときに中座しなければならない状況があったとき、ユーザが中座することで見られない放送コンテンツの部分をＨＤＤに記憶しておき、後からユーザの好きなときに再生して視聴することができる点で、利便性に優れている。
【特許文献１】特開２００２−３４４８５０号公報
【発明の開示】
【発明が解決しようとする課題】
【０００３】
ところが、このような従来のレコーダを使用したとしても、ユーザが放送中の放送コンテンツを視聴しているときや、過去にＨＤＤに記憶しておいたコンテンツを視聴しているときに中座して別の場所へ移動した場合に、移動した先で中座するまで見ていたコンテンツの続きを視聴することはできない。
例えば、会社勤めをしているユーザが、出勤前に自宅で、ある放送コンテンツを視聴していたとする。ユーザはその放送コンテンツが終了するまでに視聴を中断して出勤した場合、視聴を中断して見ることができなくなった部分は自宅のレコーダのＨＤＤに記憶しておいて、帰宅後に視聴することはできる。しかし、ユーザが帰宅する前に、例えば、出勤先の会社等別の場所で昼休み等の空き時間に上記コンテンツの続きを視聴するといったことはできない。
【０００４】
仮に、視聴していたコンテンツをＨＤＤからＤＶＤ−ＲＡＭ（Digital Versatile Disk - Random Access Memory）等の可搬性記憶媒体にコピーすれば別の場所で当該コンテンツを再生することは不可能ではないが、大容量のコンテンツデータを記憶媒体間でコピーするには多大な時間を要するし、また、いちいち可搬性記憶媒体を持ち歩くのはユーザにとって煩雑である。さらに、可搬性媒体を使って別のレコーダで再生すると、通常、コンテンツは始めから再生されるため、ユーザが本当に見たい続きの部分のみをすぐに視聴することはできない。
【０００５】
このように、従来では、レコーダで放送コンテンツをＨＤＤに記憶することはできたとしても、ユーザが放送中の放送コンテンツを視聴しているときや、過去にＨＤＤに記憶しておいたコンテンツを視聴しているときに中座して別の場所へ移動した場合に、移動した先で中座するまで見ていたコンテンツの続きを視聴することはできなかった。
そこで、本発明は、ユーザがコンテンツの視聴中に中座して別の場所へ移動しても、移動先で中座するまで見ていたコンテンツの続きを視聴することができるより利便性の高いコンテンツの視聴環境を提供することを目的とする。
【課題を解決するための手段】
【０００６】
上記課題を解決するために、本発明のコンテンツ配信システムは、ネットワークに接続された第１及び第２のコンテンツ管理装置と、携帯電話機とを含み、前記第１のコンテンツ管理装置から前記第２のコンテンツ管理装置へコンテンツを配信するコンテンツ配信システムであって、前記携帯電話機は、前記ネットワーク上で前記第１のコンテンツ管理装置を識別する装置識別情報を記憶するための装置識別情報記憶手段と、前記コンテンツの視聴中断を示す中断信号を前記第１のコンテンツ管理装置に送信し、かつ、前記装置識別情報を前記第２のコンテンツ管理装置に送信する送信手段とを備え、前記第１のコンテンツ管理装置は、前記コンテンツを再生する再生手段と、前記携帯電話機から前記中断信号を受信する中断信号受信手段と、前記ネットワークを介し、前記第２のコンテンツ管理装置から、コンテンツの配信要求を受信する配信要求受信手段と、前記配信要求に応じて、前記再生手段で再生していたコンテンツのうち、前記中断信号を受信したときに再生していた部分に後続する部分を前記第２のコンテンツ管理装置に送信するコンテンツ送信手段とを備え、前記第２のコンテンツ管理装置は、前記携帯電話機から前記装置識別情報を受信する装置識別情報受信手段と、前記ネットワークを介し、前記装置識別情報が示す前記第１のコンテンツ管理装置に、コンテンツの配信要求を送信する配信要求送信手段とを備えることを特徴とする。
【発明の効果】
【０００７】
以上の構成により、携帯電話機を利用することで、第１コンテンツ管理装置で再生していたコンテンツをユーザが視聴しているときに中座して別の場所に移動した場合に、中座するまで見ていたコンテンツの続きを、移動した先にある第２のコンテンツ管理装置で再生して視聴することができる。このように、本願のコンテンツ配信システムによれば、利便性の高いコンテンツの視聴環境を提供することができる。
【０００８】
また、上記コンテンツ配信システムにおいて、前記第１のコンテンツ管理装置は、前記携帯電話機から前記中断信号を受信すると、前記装置識別情報を前記携帯電話機に送信する装置識別情報送信手段を備えることを特徴とする。
この構成により、ユーザが別の場所へ移動するたびに装置識別情報を第１のコンテンツ管理装置から受け取ることができるため、装置識別情報を予め携帯電話機内に記憶しておかなくてもよい。
【０００９】
また、上記コンテンツ配信システムにおいて、前記第１のコンテンツ管理装置は、コンテンツを記憶するコンテンツ記憶手段を備え、前記再生手段は、前記コンテンツ記憶手段に記憶されているコンテンツを再生することを特徴とする。
この構成により、第１のコンテンツ管理装置内に記憶しておいたコンテンツをユーザが視聴しているときに中座して別の場所へ移動した場合に、中座するまで見ていたコンテンツの続きを、移動した先にある第２のコンテンツ管理装置で再生して視聴することができる。
【００１０】
また、上記コンテンツ配信システムにおいて、前記第１のコンテンツ管理装置において、前記中断信号を受信すると、前記装置識別情報送信手段は、前記装置識別情報とともに、前記中断信号を受信したときに再生していた部分に後続する部分を示す時間情報を前記携帯電話機に送信し、前記コンテンツ送信手段は、前記再生手段で再生していたコンテンツのうち前記時間情報が示す部分を、前記中断信号を受信したときに再生していた部分に後続する部分として前記第２のコンテンツ管理装置に送信し、前記携帯電話機において、前記送信手段は、前記装置識別情報とともに前記時間情報を前記第２のコンテンツ管理装置に送信し、前記第２のコンテンツ管理装置において、前記配信要求送信手段は、前記時間情報を含むコンテンツの配信要求を前記第１のコンテンツ管理装置に送信することを特徴とする。
【００１１】
この構成により、時間情報によってユーザが中座するまで見ていたコンテンツの続きの部分を特定することができるとともに、この時間情報を携帯電話機が第２のコンテンツ管理装置に送信することで、第２のコンテンツ管理装置はユーザが視聴したい続きの部分を的確に知ることができる。
また、上記コンテンツ配信システムにおいて、前記第１のコンテンツ管理装置において、前記中断信号を受信すると、前記コンテンツ記憶手段は、コンテンツとともに、前記中断信号を受信したときに再生していた部分に後続する部分を示す時間情報を記憶し、前記コンテンツ送信手段は、前記再生手段で再生していたコンテンツのうち前記時間情報が示す部分を、前記中断信号を受信したときに再生していた部分に後続する部分として前記第２のコンテンツ管理装置に送信することを特徴とする。
【００１２】
この構成により、第２のコンテンツ管理装置が、第１のコンテンツ管理装置内に記憶しておいた時間情報を参照して再生することができるので、いちいち第１のコンテンツ管理装置から携帯電話機に時間情報を送らなくてもよい。
また、上記コンテンツ配信システムにおいて、前記第１コンテンツ管理装置において、前記信号を受信すると、前記送信手段は、前記装置識別情報とともに、前記中断信号を受信していたときに再生していたコンテンツを識別するコンテンツ識別情報を前記携帯電話機に送信し、前記携帯電話機において、前記装置識別情報送信手段は、前記装置識別情報とともに前記コンテンツ識別情報を前記第２のコンテンツ管理装置に送信し、前記第２コンテンツ管理装置において、前記配信要求送信手段は、前記コンテンツ識別情報と前記コンテンツ識別情報とを含むコンテンツの配信要求を送信することを特徴とする。
【００１３】
この構成により、第１のコンテンツ管理装置内に記憶してあるコンテンツが複数あった場合であっても、第２のコンテンツ管理装置は、コンテンツ識別情報によって配信を要求すべきコンテンツを特定することができ、また、第１のコンテンツ管理装置は、複数のコンテンツの中から配信すべきコンテンツを特定することができる。
また、上記コンテンツ配信システムにおいて、前記第１のコンテンツ管理装置はさらに、放送される放送コンテンツを受信する放送受信手段と、前記中断信号を受信すると、前記再生手段で再生している放送コンテンツの録画を開始する録画手段とを備え、前記再生手段は、前記放送受信手段で受信する放送コンテンツを再生し、前記コンテンツ送信手段は、前記録画手段で録画した放送コンテンツを、前記コンテンツのうち前記中断信号を受信したときに再生していた部分に後続する部分として送信することを特徴とする。
【００１４】
この構成により、放送中の放送コンテンツをユーザが視聴しているときに中座して別の場所へ移動した場合に、中座するまで見ていたコンテンツの続きを第１のコンテンツ管理装置が録画し、かつ、この録画された放送コンテンツを、移動した先にある第２のコンテンツ管理装置で再生して視聴することができる。
また、上記コンテンツ配信システムにおいて、前記第１コンテンツ管理装置において、前記装置識別情報送信手段は、前記装置識別情報とともに、前記中断信号を受信したときに録画を開始した放送コンテンツを識別する放送コンテンツ識別情報を前記携帯電話機に送信し、前記携帯電話機において、前記送信手段は、前記装置識別情報とともに前記放送コンテンツ識別情報を前記第２のコンテンツ管理装置に送信し、前記第２コンテンツ管理装置において、前記配信要求送信手段は、前記放送コンテンツ識別情報を含むコンテンツの配信要求を送信することを特徴とする。
【００１５】
この構成により、第１のコンテンツ管理装置内に録画して記憶してある放送コンテンツが複数あった場合であっても、第２のコンテンツ管理装置は、放送コンテンツ識別情報によって配信を要求すべき放送コンテンツを特定することができ、また、第１のコンテンツ管理装置は、複数の放送コンテンツの中から配信すべき放送コンテンツを特定することができる。
【発明を実施するための最良の形態】
【００１６】
以下本発明の実施形態について、図面を参照しながら説明する。
＜実施形態１＞
＜１．システムの構成＞
まず、実施形態１に係るコンテンツ配信システムの構成について説明する。
図１は、コンテンツ配信システムの主要な構成を示す概略図である。
【００１７】
図１を参照すると、コンテンツ配信システムは、携帯電話機１００、コンテンツ管理装置２００Ａ及び２００Ｂ、並びに、ディスプレイ３００Ａ及び３００Ｂから構成されている。ここで、コンテンツ管理装置２００Ａはディスプレイ３００Ａと接続されており、２階建ての住宅４００の１階に設置されている。同様に、コンテンツ管理装置２００Ｂはディスプレイ３００Ｂと接続されており、住宅４００の２階に設置されている。
＜１−１．コンテンツ管理装置＞
コンテンツ管理装置２００Ａ及び２００Ｂは、住宅４００のＴＶ（Television：テレビ）受信アンテナ４０１と接続されており、ＴＶ受信アンテナ４０１を介して放送される放送コンテンツを録画して内蔵するＨＤＤに記憶することができ、かつ、記憶しておいたコンテンツの整理や再生も行うこともできる、いわゆる、「ＨＤＤレコーダ」と呼ばれる機器である。なお、本明細書中では、コンテンツ管理装置２００Ａ及び２００Ｂはともに、同じ構成を有する同機種であるものとし、両者をまとめて指す場合はコンテンツ管理装置２００と呼ぶ。
【００１８】
また、コンテンツ管理装置２００Ａ及び２００Ｂは、ネットワーク５００を介して互いに接続されており、双方に通信することができるとともに、近距離無線通信機能も備え、携帯電話機１００と通信することができる。
＜１−２．携帯電話機＞
携帯電話機１００は、例えば、ＣＤＭＡ（Code Division Multiple Access）方式に準拠した一般的な携帯電話機である。携帯電話機１００は、近距離無線通信も備え、コンテンツ管理装置２００Ａ及び２００Ｂと通信することができる。
＜１−３．ディスプレイ＞
ディスプレイ３００Ａ及び３００Ｂは、ＰＤＰ（Plasma Display Panel：プラズマディスプレイパネル）やブラウン管を表示媒体とする、映像表示装置である。接続されたコンテンツ管理装置２００Ａ及び２００Ｂからコンテンツの映像信号を受け、当該コンテンツを表示する。なお、本明細書中では、ディスプレイ３００Ａ及び３００Ｂはともに、同じ構成を有する同機種であるものとし、両者をまとめて指す場合はディスプレイ３００と呼ぶ。
【００１９】
なお、ディスプレイ３００は一般的な既知の構成のものであり、本願において特徴的な構成を有するものではないため、以後、詳細な説明しない。
＜２．携帯電話機１００の構成＞
続いて、コンテンツ配信システムにおける、携帯電話機１００の構成について詳細に説明する。
【００２０】
図２は、携帯電話機１００の主要な構成を示すブロック図である。
図２を示すように、携帯電話機１００は、ＣＤＭＡ通信アンテナ１０１、ＣＤＭＡ通信部１０２、近距離無線通信アンテナ１０３、近距離無線通信部１０４、表示部１０５、マイクロフォン１０６、スピーカ１０７、バイブレータ１０８、ＬＥＤ（Light Emitting Diode）発光部１０９、記憶部１１０、操作部１１１、及びＣＰＵ（Central Processing Unit）１１２を備えている。
【００２１】
ＣＤＭＡ通信アンテナ１０１は、ＣＤＭＡ方式で無線電話通信を行うための搬送波を送受信する。
ＣＤＭＡ通信部１０２は、ＣＤＭＡ方式で無線電話通信を行うための処理を行う。具体的には、送信対象となる音声信号を変調し、ＣＤＭＡ通信アンテナ１０１へ送出したり、ＣＤＭＡ通信アンテナ１０１から入力した信号を復調して受信対象となる音声信号を取得したりといった送受信処理に係る処理を行う。
【００２２】
近距離無線通信アンテナ１０３は、例えば、無線ＬＡＮ（Local Area Network）方式で無線通信を行うための搬送波を送受信する。
近距離無線通信部１０４は、無線ＬＡＮ方式で無線通信を行うための処理を行う。具体的には、送信対象となるパケット化されたデータを変調して近距離無線通信アンテナ１０３に送出したり、近距離無線通信アンテナ１０３から入力した信号を復調して受信対象となるデータパケットを取得したりといった送受信に係る処理を行う。携帯電話機１００は、近距離無線通信部１０４を介してコンテンツ管理装置２００と近距離無線通信を行う。
【００２３】
表示部１０５は、ＬＣＤ（Liquid Crystal Display）等の表示媒体から構成される表示装置であり、携帯電話機１００を使用するにあたって必要となる各種情報を表示する。
マイクロフォン１０６は、音を集音して音声信号に変換するもので、例えば、通話中にユーザが発する音声を集音する。
スピーカ１０７は、音声信号を音に変換して放音するものであり、例えば、通話中に通信相手が発する音声を放音したり、携帯電話機１００への着信を報知するための着信音を放音したりする。
【００２４】
バイブレータ１０８は、振動を発生させるための錘を軸に備えたモータであり、例えば、携帯電話機１００への着信を報知するための振動を発生する。
ＬＥＤ発光部１０９は、ＬＥＤを発光素子とする発光部であり、例えば、携帯電話機１００への着信を報知するために発光する。
記憶部１１０は、ＲＡＭ（Random Access Memory）等の揮発性メモリから成る記憶部であり、ユーザの操作や携帯電話機１００の各種機能の処理に応じてデータを記憶する。
【００２５】
操作部１１１は、英数字や漢字等が印字された押下可能なキー群から成る入力装置であり、ユーザが携帯電話機１００の操作に用いる。
ＣＰＵ１１２は、携帯電話機１００に備わる上記各構成部１０１〜１１１と接続され、各構成部をコントロールする。
＜３．コンテンツ管理装置２００の構成＞
続いて、コンテンツ配信システムにおける、コンテンツ管理装置２００の構成について詳細に説明する。
【００２６】
図３は、コンテンツ管理装置２００の主要な構成を示すブロック図である。
図３に示すように、コンテンツ管理装置２００は、近距離無線通信アンテナ２０１、近距離無線通信部２０２、ＴＶ放送受信部２０３、録画部２０４、ＲＯＭ（Read Only Memory）２０５、ＲＡＭ（Random Access Memory）２０６、ＨＤＤ２０７、コンテンツ処理部２０８、ネットワーク通信部２０９、ディスプレイ制御部２１０、及びＣＰＵ２１１を備えている。
【００２７】
近距離無線通信アンテナ２０１は、例えば、無線ＬＡＮ（Local Area Network）方式で無線通信を行うための搬送波を送受信する。
近距離無線通信部２０２は、無線ＬＡＮ方式で無線通信を行うための処理を行う。具体的には、送信対象となるパケット化されたデータを変調して近距離無線通信アンテナ２０１に送出したり、近距離無線通信アンテナ２０１から入力した信号を復調して受信対象となるデータパケットを取得したりといった送受信に係る処理を行う。コンテンツ管理装置２００は、近距離無線通信部２０２を介して携帯電話機１００と近距離無線通信を行う。
【００２８】
ＴＶ放送受信部２０３は、再生部２０３ａ及び放送コンテンツ識別情報抽出部２０３ｂから成る。再生部２０３ａは、ＴＶ受信アンテナ４０１と接続され、ＴＶ受信アンテナ４０１を介して受信した放送コンテンツを再生する。具体的に言えば、地上波デジタル放送に係るＭＰＥＧ２−ＴＳ（Moving Picture Experts Group 2 - Transport Stream）規格に準じて多重化及び符号化されたＴＳ（Transport Stream）形式の放送コンテンツデータを復号化する。また、放送コンテンツ識別情報抽出部２０３ｂは、再生部２０３ａが再生している放送コンテンツを識別するための放送コンテンツ識別情報を抽出する。具体的に言えば、再生部２０３ａが復号化しているＴＳに含まれるＳＩ（Service Information）に含まれる放送コンテンツ名を読み取る。
【００２９】
録画部２０４は、再生部２０３ａが再生している放送コンテンツを録画し、後述するＨＤＤに記憶する。具体的には、放送コンテンツの映像信号と音声信号とを、例えば、ａｖｉ（Audio Video Interleaving）形式でエンコードしてファイルを作成してＨＤＤに記憶する。
ＲＯＭ２０５は、読み込み専用のメモリであり、プログラムやデータの恒久的な記憶に使用され、特に、ネットワーク５００上でコンテンツ管理装置２００を識別するための装置識別情報として、ＩＰアドレスを記憶している。
【００３０】
ＲＡＭ２０６、書き込み可能なメモリであり、後述するＣＰＵ２１１が処理を実行中に一時的にデータを格納するのに使用される。
ＨＤＤ２０７は、ハードディスクを搭載した記憶装置であり、特に、録画部２０４が録画した放送コンテンツを記憶する。
コンテンツ処理部２０８は、再生部２０８ａ、時間情報抽出部２０８ｂ、及びコンテンツ識別情報抽出部２０８ｃから成る。
【００３１】
再生部２０８ａは、ＨＤＤ２０７に記憶されているコンテンツを再生する。具体的には、例えば、ａｖｉ形式でエンコードされたコンテンツをデコードする。
時間情報抽出部２０８ｂは、再生部２０８ａがコンテンツの再生を一時停止（ポーズ）又は停止したとき、当該コンテンツの再生開始から一時停止又は停止までに経過した時間を抽出する。
【００３２】
コンテンツ識別情報抽出部２０８ｃは、再生部２０８ａで再生しているコンテンツの識別情報を抽出する。具体的には、再生部２０８ａがデコードしているａｖｉデータに含まれるコンテンツ名を読み出す。
ネットワーク通信部２０９は、ネットワーク５００と接続されており、ＴＣＰ／ＩＰ（Transmission Control Protocol/Internet Protocol）方式で通信を行うための処理を行う。具体的には、送信対象となるデータをパケット化してネットワーク５００に送出したり、ネットワーク５００から入力したデータパケットを展開して受信対象となるデータを取得したりといった送受信に係る処理を行う。コンテンツ管理装置２００Ａ及び２００Ｂは、ネットワーク通信部２０９を介して互いに通信を行う。
【００３３】
ディスプレイ制御部２１０は、ＴＶ放送受信部２０３の再生部２０３ａが再生する放送コンテンツや、コンテンツ処理部２０８の再生部２０８ａが再生するコンテンツを、ディスプレイ３００に送出する。これにより、当該コンテンツをディスプレイ３００に表示させることができる。また、ディスプレイ制御部２１０は、ディスプレイ３００の電源ＯＦＦ等の制御指示を送出することもできる。
＜４．コンテンツ配信動作＞
＜４−１．一般的説明＞
次に、コンテンツ配信システムにおいて、コンテンツ管理装置２００と携帯電話機１００とが協同してコンテンツの配信を行う動作について説明する。
【００３４】
本実施形態では、コンテンツ管理装置２００ＡのＨＤＤ２０７に過去に記憶しておいたコンテンツを、別の場所にあるコンテンツ管理装置２００Ｂに配信する動作について説明する。
図６は、ＨＤＤ２０７に過去に記憶しておいたコンテンツを配信する動作を示すフローチャートである。
【００３５】
現在、図１に示すように、携帯電話機１００を所持するユーザ（図示しない）は住宅４００内の１階におり、コンテンツ管理装置２００ＡのＨＤＤ２０７に記憶されているコンテンツをディスプレイ３００Ａで視聴していたが、コンテンツの視聴を中断しなければならない事態が発生したものとする。
ユーザは、今まで視聴していたコンテンツの続きを後から見られるように、まず、携帯電話機１００の操作部１１１から所定の操作を行い、「コンテンツ視聴継続モード」を開始する。すると、携帯電話機１００はコンテンツ管理装置２００Ａに対し、コンテンツの視聴中断を示す信号を送信する（ステップＳ１００）。
【００３６】
当該信号を受信したコンテンツ管理装置２００Ａは携帯電話機１００に対し、ＲＯＭ２０５に記憶されている装置識別情報、コンテンツ識別情報抽出部２０８ｃが抽出したコンテンツ識別情報、及び時間情報抽出部２０８ｂが抽出した時間情報を送信する（ステップＳ１０１）。ステップＳ１０１での送信が完了すると、コンテンツ管理装置２００Ａは、ディスプレイ制御部２１０を介し、ディスプレイ３００Ａへのコンテンツの送出を停止するとともにディスプレイ３００Ａの電源をＯＦＦにするように指示する（ステップＳ１０２）。
【００３７】
一方、携帯電話機１００は、受信した装置識別情報、コンテンツ識別情報、及び時間情報を記憶部１１０に記憶する（ステップＳ１０３）。
ここまでの処理（ステップＳ１００〜Ｓ１０３）が、ユーザが離席するときの処理である。
次に、ユーザが住宅４００内の２階に移動して、コンテンツ管理装置２００Ｂを使って、先ほどコンテンツ管理装置２００Ａで視聴していたコンテンツの続きを見ようと思ったとする。
【００３８】
コンテンツ管理装置２００Ｂは、近距離無線アンテナ２０１を介して所定のタイミングでビーコン信号を発している（ステップＳ１０４）。
ユーザが再び記憶部１１１を操作して「コンテンツ視聴継続モード」を開始すると、携帯電話機１００は、記憶部１１０に記憶しておいた装置識別情報、コンテンツ識別情報、及び時間情報を送信する（ステップＳ１０５）。
【００３９】
装置識別情報、コンテンツ識別情報、及び時間情報を受信したコンテンツ管理装置２００Ｂは、コンテンツ識別情報が示すコンテンツのうち時間情報が示す時間以降の部分の配信要求を、装置識別情報が示すコンテンツ管理装置２００Ａに送信する（ステップＳ１０６）。
配信要求を受信したコンテンツ管理装置２００Ａは、コンテンツ識別情報が示すコンテンツをＨＤＤ２０７から検索して、該当するコンテンツのうち、時間情報が示す時間以降の部分を抽出し（ステップＳ１０７）、コンテンツ管理装置２００Ｂに送信する（ステップＳ１０８）。
【００４０】
コンテンツの一部分を受信したコンテンツ管理装置２００Ｂは、再生部２０８ａで再生するとともにディスプレイ制御部２１０を介してディスプレイ３００Ａに送信する（ステップＳ１０９）。
以上のように処理を行うことで、ユーザは、コンテンツ管理装置２００Ａでコンテンツを視聴中に中座して別の場所に移動しても、移動先にあるコンテンツ２００Ｂでコンテンツの続きを見ることができる。
＜４−２．具体例説明＞
ここで、さらに理解を助けるために、具体例を挙げて説明する。
【００４１】
コンテンツ管理装置２００Ａは、合計３件のコンテンツをＨＤＤ２０７に記憶しており、装置識別情報としてＩＰアドレス（１６９．ＸＸＸ．ＹＹＹ）をＲＯＭ２０５に記憶しているものとする。このとき、ＨＤＤ２０７内では、図５（ａ）に示すように、３件のコンテンツがコンテンツ識別情報（コンテンツ名）を付されて記憶されている。
また、ユーザは現在、ＨＤＤ２０７に記憶されているコンテンツのうち、２時間映画である「ＸＸ愛の物語」を視聴しているものとする。
【００４２】
このとき、ステップＳ１００において、ユーザは、「ＸＸ愛の物語」の１時間２０分経過部分で「コンテンツ視聴中断モード」を開始すると、図８（ａ）に示すような確認画面表示がなされる。
ユーザが「はい」を選択すると、視聴中断を示す信号が送られる。
ステップＳ１０１において、コンテンツ管理装置２００Ａは、図４（ａ）に示すように、装置識別情報としてＩＰアドレス（１６９．ＸＸＸ．ＹＹＹ）、コンテンツ識別情報としてコンテンツ名「ＸＸ愛の物語」と視聴を中断した時点の年月日（２００５／１０／０１  １８：４０）、及び時間情報として総再生時間に対する視聴中断した時間（０１．２０．００／０２．００．００）を携帯電話機１００に送信する。ステップＳ１０３において、携帯電話機１００はこれらの３つの情報を記憶する。
【００４３】
また、ステップＳ１０５において、「コンテンツ視聴継続モード」を開始すると、図９（ａ）に示すような確認画面が表示され、ユーザが「はい」を選択すると、図１０（ａ）に示すように、過去に「コンテンツ視聴継続モード」で視聴継続を要求したことで現在視聴継続の指示を出すことのできるコンテンツの一覧が表示される。ここでは、合計２件のコンテンツが視聴継続可能である。
【００４４】
ユーザが視聴を継続したいコンテンツ「ＸＸ愛の物語」を選択すると、携帯電話機１００は、ＩＰアドレス（１６９．ＸＸＸ．ＹＹＹ）、コンテンツ名「ＸＸ愛の物語」、及び総再生時間に対する視聴中断した時間（０１．２０．００／０２．００．００）を送信する。
ステップＳ１０６において、コンテンツ管理装置２００Ｂは、ＩＰアドレス（１６９．ＸＸＸ．ＹＹＹ）、コンテンツ名「ＸＸ愛の物語」、及び総再生時間に対する視聴中断した時間（０１．２０．００／０２．００．００）を含む配信要求を送信する。
【００４５】
そして、ステップＳ１０７において、コンテンツ管理装置２００Ａは、ＨＤＤ２０７内の３件のコンテンツのコンテンツ名と照合し、照合したコンテンツ「ＸＸ愛の物語」のうち、１時間２０分経過部分を抽出する。
以上のように処理を行うことで、ユーザは、コンテンツ管理装置２００ＡでＨＤＤ２０７内のコンテンツ「ＸＸ愛の物語」を視聴中に、１時間２０分経過部分で視聴を中断して別の場所に移動しても、移動先にあるコンテンツ２００Ｂで「ＸＸ愛の物語」の続きを１時間２０分経過部分から見ることができる。
＜実施形態２＞
以下、実施形態２に係るコンテンツ配信システムについて説明する。実施形態２では、実施形態１のコンテンツ配信システムと構成は同じであるが、コンテンツの配信を行う動作について異なる。
【００４６】
すなわち、実施形態１では、コンテンツ管理装置２００ＡのＨＤＤ２０７に過去に記憶しておいたコンテンツを視聴継続した、実施形態２では、ＴＶ放送受信部２０３を介して放送される放送コンテンツを視聴継続する。
＜１．コンテンツ配信動作＞
＜１−１．一般的説明＞
本実施形態では、コンテンツ管理装置２００ＡのＴＶ放送受信部２０３を介して放送される放送コンテンツを録画し、別の場所にあるコンテンツ管理装置２００Ｂに配信する動作について説明する。
【００４７】
図７は、ＴＶ放送受信部２０３を介して放送される放送コンテンツを配信する動作を示すフローチャートである。
現在、図１に示すように、携帯電話機１００を所持するユーザ（図示しない）は住宅４００内の１階におり、コンテンツ管理装置２００ＡのＴＶ放送受信部２０３を介して放送される放送コンテンツをディスプレイ３００Ａで視聴していたが、放送コンテンツの視聴を中断しなければならない事態が発生したものとする。
【００４８】
ユーザは、今まで視聴していた放送コンテンツの続きを後から見られるように、まず、携帯電話機１００の記憶部１１１から所定の操作を行い、「放送コンテンツ視聴継続モード」を開始する。すると、携帯電話機１００はコンテンツ管理装置２００Ａに対し、放送コンテンツの視聴中断を示す信号を送信する（ステップＳ２００）。
当該信号を受信したコンテンツ管理装置２００Ａは携帯電話機１００に対し、ＲＯＭ２０５に記憶されている装置識別情報、及び放送コンテンツ識別情報抽出部２０３ｂが抽出した放送コンテンツ識別情報を送信する（ステップＳ２０１）。ステップＳ２０１での送信が完了すると、コンテンツ管理装置２００Ａは、録画部２０４で放送コンテンツの録画を開始する（ステップＳ２０２）する。なお、ステップＳ２０２での録画は、対象となる放送コンテンツのみの録画を行うため、当該放送コンテンツが終了する時間になると自動的に録画終了する。これは、既知の、いわゆる、「タイマー録画」や「Ｇコード（登録商標）予約」等の録画技術で達成される。
【００４９】
また、コンテンツ管理装置２００Ａは、ステップＳ２０２での録画を開始すると、ディスプレイ制御部２１０を介し、ディスプレイ３００Ａへのコンテンツの送出を停止するとともにディスプレイ３００Ａの電源をＯＦＦにするように指示する（ステップＳ２０３）。
一方、携帯電話機１００は、受信した装置識別情報及び放送コンテンツ識別情報を記憶部１１０に記憶する（ステップＳ２０４）。
【００５０】
ここまでの処理（ステップＳ２００〜Ｓ２０４）が、ユーザが離席するときの処理である。
次に、ユーザが住宅４００内の２階に移動して、コンテンツ管理装置２００Ｂを使って、先ほどコンテンツ管理装置２００Ａで視聴していた放送コンテンツの続きを見ようと思ったとする。
【００５１】
コンテンツ管理装置２００Ｂは、近距離無線アンテナ２０１を介して所定のタイミングでビーコン信号を発している（ステップＳ２０５）。
ユーザが再び操作部１１１を操作して「放送コンテンツ視聴継続モード」を開始すると、携帯電話機１００は、記憶部１１０に記憶しておいた装置識別情報及び放送コンテンツ識別情報を送信する（ステップＳ２０６）。
【００５２】
装置識別情報及び放送コンテンツ識別情報を受信したコンテンツ管理装置２００Ｂは、放送コンテンツ識別情報が示す放送コンテンツの配信要求を、装置識別情報が示すコンテンツ管理装置２００Ａに送信する（ステップＳ２０７）。
配信要求を受信したコンテンツ管理装置２００Ａは、放送コンテンツ識別情報が示す放送コンテンツを、録画されてＨＤＤ２０７に記憶さている放送コンテンツの中から検索して選択し（ステップＳ２０８）、コンテンツ管理装置２００Ｂに送信する（ステップＳ２０９）。
【００５３】
録画された放送コンテンツを受信したコンテンツ管理装置２００Ｂは、再生部２０８ａで再生するとともにディスプレイ制御部２１０を介してディスプレイ３００Ａに送信する（ステップＳ２１０）。
以上のように処理を行うことで、ユーザは、コンテンツ管理装置２００Ａで放送コンテンツを視聴中に中座して別の場所に移動しても、放送コンテンツの続きの部分を録画して、移動先にあるコンテンツ２００Ｂで当該続きを見ることができる。
＜４−２．具体例説明＞
ここで、さらに理解を助けるために、具体例を挙げて説明する。
【００５４】
コンテンツ管理装置２００Ａは、過去に「放送コンテンツ視聴継続モード」で合計５件のコンテンツを録画してＨＤＤ２０７に記憶しており、装置識別情報としてＩＰアドレス（１６９．ＸＸＸ．ＹＹＹ）をＲＯＭ２０５に記憶しているものとする。このとき、ＨＤＤ２０７内では、図５（ｂ）に示すように、４件の放送コンテンツが放送コンテンツ識別情報（放送コンテンツ名）を付されて記憶されている。
【００５５】
また、ユーザは現在、ＴＶ放送受信部２０３を介して、放送コンテンツ「７時のニュース」を視聴しているものとする。
このとき、ステップＳ２００において、ユーザは、「７時のニュース」が開始してから５分後（１９：０５）に「放送コンテンツ視聴中断モード」を開始すると、図８（ｂ）に示すような確認画面表示がなされる。
【００５６】
ユーザが「はい」を選択すると、視聴中断を示す信号が送られる。
ステップＳ２０１において、コンテンツ管理装置２００Ａは、図４（ｂ）に示すように、装置識別情報としてＩＰアドレス（１６９．ＸＸＸ．ＹＹＹ）、及び放送コンテンツ識別情報としてコンテンツ名「７時のニュース」と視聴を中断した時点の年月日（２００５／１０／０２  １９：０５）、を携帯電話機１００に送信する。
【００５７】
ステップＳ２０４において、携帯電話機１００はこれらの２つの情報を記憶する。
ステップＳ２０２において、「７時のニュース」の録画が開始し、放送終了時間になって録画が完了すると、図５（ｃ）に示すように、ＨＤＤ２０７に新たに放送コンテンツ「７時のニュース」が記憶される。
また、ステップＳ２０６において、「放送コンテンツ視聴継続モード」を開始すると、図９（ｂ）に示すような確認画面が表示され、ユーザが「はい」を選択すると、図１０（ｂ）に示すように、過去に「放送コンテンツ視聴継続モード」で視聴継続を要求したことで現在視聴継続の指示を出すことのできる放送コンテンツの一覧が表示される。ここでは、「７時のニュース」を含む合計５件のコンテンツが視聴継続可能である。
【００５８】
ユーザが視聴を継続したい放送コンテンツ「７時のニュース」を選択すると、携帯電話機１００は、ＩＰアドレス（１６９．ＸＸＸ．ＹＹＹ）、及び放送コンテンツ名「７時のニュース」を送信する。
ステップＳ２０７において、コンテンツ管理装置２００Ｂは、ＩＰアドレス（１６９．ＸＸＸ．ＹＹＹ）、及び放送コンテンツ名「７時のニュース」を含む配信要求を送信する。
【００５９】
そして、ステップＳ２０８において、コンテンツ管理装置２００Ａは、ＨＤＤ２０７内の録画された５件の放送コンテンツの放送コンテンツ名と照合し、照合した放送コンテンツ「７時のニュース」を選択する。
以上のように処理を行うことで、ユーザは、コンテンツ管理装置２００Ａで放送中の放送コンテンツ「７時のニュース」を視聴中に、開始から５分後（１９：０５）に視聴を中断して別の場所に移動しても、移動先にあるコンテンツ２００Ｂで「７時のニュース」の続きを１９：０５の部分から見ることができる。
＜変形例＞
以上、本発明に係るコンテンツ配信システムを実施形態１及び実施形態２に基づいて説明してきたが、この２つの実施形態の構成又は動作に様々な変形を加えることが可能である。
（１）実施形態１では、携帯電話機１００が時間情報をコンテンツ管理装置２００から受信して記憶部１１０に記憶するようにしているが、コンテンツ管理装置２００自身が記憶するようにしても良い。
【００６０】
すなわち、図６のフローチャートを参照すると、ステップＳ１００でコンテンツ管理装置２００Ａが視聴中断を示す信号を受信すると、再生中のコンテンツと時間情報とを関連付けてＨＤＤ２０７に記憶する。
ステップＳ１０１では、コンテンツ管理装置２００Ａは装置識別情報とコンテンツ識別情報とを携帯電話機１００に送信する。
【００６１】
ステップＳ１０５では、携帯電話機１００は、装置識別情報とコンテンツ識別情報とをコンテンツ管理装置２００Ｂに送信する。
ステップＳ１０６では、コンテンツ管理装置２００Ｂは、コンテンツ識別情報を含む配信要求を送信する。
ステップＳ１０７では、コンテンツ管理装置２００Ａは、配信要求に含まれるコンテンツ識別情報が示すコンテンツをＨＤＤ２０７から選択し、選択したコンテンツのうち関連付けられた時間情報が示す時間以降の部分を抽出する。
【００６２】
このようにコンテンツ配信動作に変更を加えることで、コンテンツ視聴継続を行うたびに携帯電話機１００側で時間情報を記憶する必要がなくなり、記憶部１１０の限られた容量を節約することができる。
（２）実施形態１及び実施形態２では、コンテンツ管理装置２００Ａが携帯電話機１００に装置識別情報を送信した後に、ディスプレイ３００Ａの電源ＯＦＦを行う処理を行うようになっている（ステップＳ１０２、ステップＳ２０２）が、これはディスプレイ３００Ａの無用な消費電力を抑えるための制御であり、行わなくてもよい。その場合は、ユーザが離席する際に自らディスプレイ３００の電源をＯＦＦにすればよい。
【００６３】
また、図８（ａ）及び（ｂ）に示すような、コンテンツ視聴中断モード及び放送コンテンツ視聴中断モードを開始した際に表示される確認画面において、選択肢を「はい」、「はい＋ディスプレイ電源ＯＦＦ」、「いいえ」の三択とし、ユーザが「はい＋ディスプレイ電源ＯＦＦ」を選択したときだけ自動的にディスプレイ３００Ａの電源ＯＦＦを行うようにしてもよい。この場合、複数人でコンテンツを視聴していて、誰か１人が退出するときに本発明の機能を使用しても、自動でディスプレイ３００Ａの電源がＯＦＦになることを防ぐことができる。
（３）実施形態１及び実施形態２では、ユーザが携帯電話機１００の操作部１１１を操作することで、コンテンツ管理装置２００Ｂに装置識別情報等の情報を送信するようになっている（ステップＳ１０５、ステップＳ２０６）が、コンテンツ視聴継続を行える環境に入ったことをユーザに通知してあげるとより利便性が向上する。
【００６４】
すなわち、携帯電話機１００がコンテンツ管理装置２００Ｂから無線ＬＡＮのビーコン信号を受信する（ステップＳ１０５、ステップＳ２０６）と、制御部１１２が、スピーカ１０７に所定の音を放音させる、バイブレータ１０８を振動させる、ＬＥＤ発光部１０９を発光させる、のいずれかの報知動作を行うようにしてもよい。
このようにコンテンツ配信動作に変更を加えることで、コンテンツ視聴継続を行える環境に入ったことをユーザが認識することができ、すぐさまコンテンツ配信の指示を出すことができる。
（４）また、実施形態１及び実施形態２では、ユーザが携帯電話機１００の操作部１１１を操作することで、コンテンツ管理装置２００Ｂに装置識別情報等の情報を送信するようになっている（ステップＳ１０５、ステップＳ２０６）が、ユーザの操作によらずに自動的に送信が行われるようにしてもよい。
【００６５】
すなわち、携帯電話機１００は、コンテンツ管理装置２００Ｂから無線ＬＡＮのビーコン信号を受信する（ステップＳ１０５、ステップＳ２０６）と、このビーコン信号を契機として携帯電話機１００は自動的に記憶部１１０に記憶してある装置識別情報等の情報を送信すればよい。
このようにコンテンツ配信動作に変更を加えることで、ユーザがいちいち操作部１１１を操作しなくても、コンテンツ視聴継続を行える環境に入ったときに自動的にコンテンツ配信動作を開始することができ、利便性が向上する。
（５）実施形態１では、携帯電話機１００からコンテンツ管理装置２００Ｂに装置識別情報、コンテンツ識別情報、及び時間情報を送信する（ステップＳ１０５）と、コンテンツ管理装置２００Ｂはすぐさまコンテンツ管理装置２００Ａにコンテンツの配信要求を送信する（ステップＳ１０６）ようになっているが、コンテンツ管理装置２００Ｂ自身が再生できる場合は、コンテンツ管理装置２００が再生しても良い。
【００６６】
すなわち、まずコンテンツ管理装置２００ＢのＨＤＤ２０７にコンテンツ識別情報が示すコンテンツが記憶されているか否かを判断して、記憶されていない場合にのみコンテンツ管理装置２００Ａに配信要求を送信し、もし記憶されている場合はコンテンツ管理装置２００Ｂの再生部２０８ａで当該コンテンツを再生するようにしても良い。
このようにコンテンツ配信動作に変更を加えることで、視聴継続を行いたいコンテンツをコンテンツ管理装置２００Ｂが再生可能であれば直接再生することで、ネットワーク５００を介してコンテンツ管理装置２００Ａに配信要求を送信するという動作が不要となる。これにより、ネットワーク５００への負荷を軽減することができるとともに、ネットワーク５００を介さないためにより高いビットレートでコンテンツを再生することができ得る。
【００６７】
同様に、実施形態２では、携帯電話機１００からコンテンツ管理装置２００Ｂに装置識別情報及び放送コンテンツ識別情報を送信する（ステップＳ２０６）と、コンテンツ管理装置２００Ｂはすぐさまコンテンツ管理装置２００Ａに放送コンテンツの配信要求を送信する（ステップＳ２０７）ようになっているが、コンテンツ管理装置２００Ｂ自身が再生できる場合は、コンテンツ管理装置２００が再生しても良い。
【００６８】
すなわち、まずコンテンツ管理装置２００ＢのＨＤＤ２０７に放送コンテンツ識別情報が示す放送コンテンツが記憶されているか否かを判断して、記憶されていない場合にのみコンテンツ管理装置２００Ａに配信要求を送信し、もし記憶されている場合はコンテンツ管理装置２００Ｂの再生部２０８ａで当該放送コンテンツを再生するようにしても良い。
さらに、このコンテンツ管理装置２００Ｂの再生部２０８ａでコンテンツを再生する場合、ＨＤＤ２０７に記憶されている当該コンテンツの録画開始時間と携帯電話機１００から送信される時間情報とを比較し、録画開始時間のほうが早ければコンテンツ管理装置は当該録画開始時間以降のコンテンツ部分を再生し、一方、時間情報のほうが早ければコンテンツ管理装置２００Ａに配信要求を送信するようにしてもよい。この場合、ユーザが見たいコンテンツ部分がコンテンツ管理装置２００Ｂに記憶されていない場合にのみ、コンテンツ管理装置２００Ａに配信要求が送信される。
（６）実施形態２では、ＴＶ放送受信部２０３で受信した地上波デジタル放送の放送コンテンツを例にとって説明したが、これに限定されることはなく、例えば、アナログ放送の放送コンテンツでも良いし、ラジオ放送の放送コンテンツであっても良い。
（７）実施形態１及び実施形態２では、録画部２０４は、放送コンテンツの映像信号と音声信号とをａｖｉ（Audio Video Interleaving）形式でエンコードしてファイルを作成してＨＤＤに記憶するようになっているが、これに限定されることはなく、例えば、ｍｐｅｇ（Moving Picture Experts Group）等他の形式でエンコードしても良い。
（８）実施形態１及び実施形態２では、携帯電話機１００とコンテンツ管理装置２００との間の通信を無線ＬＡＮによって行う例について説明したが、これに限定されることはなく、例えば、Ｂｌｕｅｔｏｏｔｈ（登録商標）規格に準ずる無線通信や、ＩｒＤＡ（Infrared Data Association）規格に準ずる赤外線通信によって行っても良い。
（９）実施形態１及び実施形態２では、図１に示すように、住宅４００内の１階と２階にそれぞれコンテンツ管理装置２００Ａとコンテンツ管理装置２００Ｂとを設置する例を挙げて説明したが、これに限定されないことは勿論である。すなわち、コンテンツ管理装置２００Ａとコンテンツ管理装置２００Ｂとは、ネットワークを介して接続されて互いに異なる場所に設置されていれば本発明の要件を充足し、具体的な場所はユーザの都合により決定されればよい。
（１０）実施形態１及び実施形態２では、コンテンツ視聴中断モード及び放送コンテンツ視聴中断モードにすると、図８（ａ）及び（ｂ）に示すような確認画面が表示される例を示したが、これに限定されるものではなく、例えば、まず当該モード開始の旨を伝える小さなアイコンを画面上に表示し、その後操作部１１１からユーザが所定の操作を行うことで確認画面が表示されるにしてもよい。
【図面の簡単な説明】
【００６９】
【図１】本発明に係るコンテンツ配信システムの主要な構成を示す概略図である。
【図２】携帯電話機１００の主要な構成を示すブロック図である。
【図３】コンテンツ管理装置２００の主要な構成を示すブロック図である。
【図４】コンテンツ管理装置２００Ａが送信する情報の示す概略図である。
【図５】ＨＤＤ２０７内にコンテンツと放送コンテンツが記憶されている様子を示す概略図である。
【図６】ＨＤＤ２０７に過去に記憶しておいたコンテンツを配信する動作を示すフローチャートである。
【図７】ＴＶ放送受信部２０３を介して放送される放送コンテンツを配信する動作を示すフローチャートである。
【図８】表示部１０５の画面表示の一例を示す概略図である。
【図９】表示部１０５の画面表示の一例を示す概略図である。
【図１０】表示部１０５の画面表示の一例を示す概略図である。
【符号の説明】
【００７０】
１００        携帯電話機
１０１        ＣＤＭＡ通信アンテナ
１０２        ＣＤＭＡ通信部
１０３        近距離無線通信アンテナ
１０４        近距離無線通信部
１０５        表示部
１０６        マイクロフォン
１０７        スピーカ
１０８        バイブレータ
１０９        ＬＥＤ発光部
１１０        記憶部
１１１        操作部
１１２        ＣＰＵ
２００        コンテンツ管理装置
２０１        近距離無線通信アンテナ
２０２        近距離無線通信部
２０３        ＴＶ放送受信部
２０４        録画部
２０５        ＲＯＭ
２０６        ＲＡＭ
２０７        ＨＤＤ
２０８        コンテンツ処理部
２０９        ネットワーク通信部
２１０        ディスプレイ制御部
２１１        ＣＰＵ
【図１】
0005150049.tif 000002
【図２】
0005150049.tif 000003
【図３】
0005150049.tif 000004
【図４】
0005150049.tif 000005
【図５】
0005150049.tif 000006
【図６】
0005150049.tif 000007
【図７】
0005150049.tif 000008
【図８】
0005150049.tif 000009
【図９】
0005150049.tif 000010
【図１０】
0005150049.tif 000011